(57)【特許請求の範囲】
【請求項１】
底部を囲むように配設された側壁が、底部に重なるように折り畳み可能な折り畳みコンテナーの本体と該本体に被蓋される蓋部材とからなる折り畳みコンテナーにおいて、蓋部材が、板状の蓋本体と該蓋本体の相対する辺から水平方向に所定の間隔を置いて配置された載置片とから構成されているとともに、折り畳みコンテナーの本体の側壁に形成された持ち手用窓部の上縁に形成されており、且つ、側壁に形成された切り欠き段部の水平面より下方に位置する水平リブに、前記蓋本体の載置片を載置することにより、折り畳みコンテナーの本体を蓋部材で被蓋し、且つ、蓋部材の上方に形成された凹み部には、上に位置する折り畳みコンテナーの本体の底部に形成された嵌合部が嵌合可能であることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，平面形状が略長方形に形成された底部の相対する長辺に、ヒンジ部を介して連結された長側壁と、同じく、底部の相対する短辺に、ヒンジ部を介して連結された短側壁とからなる折り畳みコンテナーが組み立てられた状態において、平板状の天部と、天部の周辺から下方に略垂直に延在する周壁とからなる蓋部材を、被蓋するようにした折り畳みコンテナーが知られている。
【０００３】
【発明が解決しようとする課題】
従来の折り畳みコンテナーにおいては、蓋部材の天部が、平板状に形成されているために、組み立てられ、蓋部材が被せられた折り畳みコンテナーを、上下方向に段積みする場合に、上に位置する折り畳みコンテナーは、単に、下に位置する折り畳みコンテナーの天部が平板状の蓋部材に載置されているだけであるので、下に位置する折り畳みコンテナーに対して水平方向に滑りやすく、従って、蓋部材が被せられた折り畳みコンテナーを、安定した状態に段積みすることができないという問題があった。
【０００４】
本発明の目的は、上述した従来の折り畳みコンテナーが有する課題を解決することにある。
【０００５】
【課題を解決するための手段】
本発明は、上述した目的を達成するために、底部を囲むように配設された側壁が、底部に重なるように折り畳み可能な折り畳みコンテナーの本体と該本体に被蓋される蓋部材とからなる折り畳みコンテナーにおいて、蓋部材が、板状の蓋本体と該蓋本体の相対する辺から水平方向に所定の間隔を置いて配置された載置片とから構成されているとともに、折り畳みコンテナーの本体の側壁に形成された持ち手用窓部の上縁に形成されており、且つ、側壁に形成された切り欠き段部の水平面より下方に位置する水平リブに、前記蓋本体の載置片を載置することにより、折り畳みコンテナーの本体を蓋部材で被蓋し、且つ、蓋部材の上方に形成された凹み部には、上に位置する折り畳みコンテナーの本体の底部に形成された嵌合部が嵌合可能としたものである。
【０００６】
【実施例】
以下に、本発明の実施例について説明するが、本発明の趣旨を越えない限り何ら、本実施例に限定されるものでない。
【０００７】
Ｆは、折り畳みコンテナーの本体であり、Ｌ１は、本体Ｆに被蓋される蓋部材である。
【０００８】
折り畳みコンテナーの本体Ｆは、平面形状が長方形状の底部１と、底部１の相対する長辺に、適当なヒンジ部を介して連結された長側壁２と、底部１の相対する短辺に、同じく、適当なヒンジ部を介して連結された短側壁３とから構成されている。そして、図１に示されているように、箱型に組み立てられた状態の本体Ｆを折り畳むには、先ず最初に、短側壁３を本体Ｆの内側に倒して、図２に示されているように、底部１の上に重ね、次いで、同じく、長側壁１を本体Ｆの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーの本体Ｆを箱型に組み立てる。
【０００９】
底部１に対して、略垂直に立てられた状態において、長側壁２の上端部には、垂直面２ａ及び水平面２ｂとから構成されている切り欠き段部２ｃが形成されており、この切り欠き段部２ｃは、箱型に組み立てられた状態の本体Ｆの内側に形成されている。同様に、底部１に対して、略垂直に立てられた状態において、短側壁３の上端部には、垂直面３ａ及び水平面３ｂとから構成されている切り欠き段部３ｃが形成されており、この切り欠き段部３ｃは、箱型に組み立てられた状態の本体Ｆの内側に形成されている。上記の長側壁２の上端部に形成された切り欠き段部２ｃと短側壁３の上端部に形成された切り欠き段部３ｃとにより、箱型に組み立てられた状態の本体Ｆの内側上端部には、後述する底部１の底面に配設されている嵌合部が嵌合する切り欠き段部が形成される。
【００１０】
３ｄは、短側壁２の上部に形成された手が挿入可能な、方形状の持ち手用窓部であり、持ち手用窓部３ｄの上縁には、箱型に組み立てられた状態の本体Ｆの内側方向に延在する水平リブ３ｅが形成されており、水平リブ３ｅは、長側壁２の上端部に形成された切り欠き段部２ｃを構成する水平面２ｂ及び短側壁３の上端部に形成された切り欠き段部３ｃを構成する水平面３ｂより、下方に位置するように配設されている。
【００１１】
底部１の裏面１’は、底部１の短辺１ａ及び長辺１ｂに沿った周縁部に形成された周縁面１ｃと、周縁面１ｃより下方に延在する（底部１の裏面１’側が示されている図４においては、上方に延在する。）嵌合部１ｄが形成されている。なお、１ｅは、嵌合部１ｄに形成された交叉リブである。
【００１２】
蓋部材Ｌ１は、平面形状が長方形状で板状の天部１０と、天部１０を囲むように形成された嵌合土手部１１とから形成されており、嵌合土手部１１は、天部１０の周縁から上方に略垂直に延在する内側垂直部１１ａと、内側垂直部１１ａの上縁から外側に水平方向に延在する水平部１１ｂと、水平部１１ｂの外側周縁から下方に略垂直に延在する外側垂直部１１ｃとから構成されている。天部１０を囲むように形成された嵌合土手部１１により、蓋部材Ｌ１には、上述した底部１の裏面１’に形成された嵌合部１ｄが、嵌合可能な凹み部１２が形成されるように構成されている。
【００１３】
上述した蓋部材Ｌ１に形成された嵌合土手部１１には、内側垂直部１１ａと水平部１１ｂと外側垂直部１１ｃとにより形成された周状溝部１１ｄが形成されており、組み立てられた折り畳みコンテナーの本体Ｆに、蓋部材Ｌ１を被蓋した際には、周状溝部１１ｄには、長側壁２の上端部及び短側壁３の上端部が嵌合されるとともに、蓋部材Ｌ１の嵌合土手部１１を構成する内側垂直部１１ａと水平部１１ｂとにより形成される角部１１ｅが、長側壁２の上端部に形成された切り欠き段部２ｃと短側壁３の上端部に形成された切り欠き段部３ｃに載置されるように構成されている。
【００１４】
上述したように、天部１０の周囲に、下方が開放された周状溝部１１ｄを有する嵌合土手部１１を有する蓋部材Ｌ１を、周状溝部１１ｄに、組み立てられた折り畳みコンテナーの本体Ｆの長側壁２の上端部及び短側壁３の上端部が嵌合されるように被蓋した折り畳みコンテナーには、上に位置する折り畳みコンテナーの本体Ｆの底部１の裏面１’に形成された嵌合部１ｄが、蓋部材Ｌ１の嵌合土手部１１に囲まれた凹み部１２に嵌合するように段積みされるので、上に段積みされた折り畳みコンテナーが、水平方向に移動することがなく、安定した状態で、折り畳みコンテナーを多段に段積みすることができる。この段積みの状態においては、上に位置する折り畳みコンテナーの底部１に形成されている周縁面１ｃが、下に位置する折り畳みコンテナーの蓋部材Ｌ１の水平部１１ｂに載置されるように構成されることが好ましい。
【００１５】
図７及び図８に示されている実施例は、蓋部材Ｌ２を、板状に形成したものである。蓋部材Ｌ２は、長側壁２の上端部に形成された切り欠き段部２ｃの水平面２ｂ及び短側壁３の上端部に形成された切り欠き段部３ｃの水平面３ｂに載置されるようにように構成されている。また、蓋部材Ｌ２の厚さは、長側壁２の上端部に形成された切り欠き段部２ｃの垂直面２ａの高さ及び短側壁３の上端部に形成された切り欠き段部３ｃの垂直面３ａの高さより、薄く形成されており、蓋部材Ｌ２が、組み立てられた折り畳みコンテナーの本体Ｆの長側壁２の上端部に形成された切り欠き段部２ｃの水平面２ｂ及び短側壁３の上端部に形成された切り欠き段部３ｃの水平面３ｂに載置された際に、図８に示されているように、長側壁２の上端部と短側壁３の上端部と蓋部材Ｌ２とにより、底部１の裏面１’に形成された嵌合部１ｄが嵌合可能な凹み部１３が形成されるように構成されている。
【００１６】
上述したように、組み立てられた折り畳みコンテナーの本体Ｆの長側壁２の上端部に形成された切り欠き段部２ｃの水平面２ｂ及び短側壁３の上端部に形成された切り欠き段部３ｃの水平面３ｂに、蓋部材Ｌ２を載置した際に、下に位置する組み立てられた折り畳みコンテナーの本体Ｆの長側壁２の上端部と短側壁３の上端部と蓋部材Ｌ２とにより形成される凹み部１３に、上に位置する折り畳みコンテナーの本体Ｆの底部１の裏面１’に形成された嵌合部１ｄが嵌合するように段積みされるので、上に段積みされた折り畳みコンテナーが、水平方向に移動することがなく、安定した状態で、折り畳みコンテナーを多段に段積みすることができる。この段積みの状態においては、上に位置する折り畳みコンテナーの底部１に形成されている周縁面１ｃが、下に位置する折り畳みコンテナーの長側壁２の上端及び短側壁３の上端に載置されるように構成することが好ましい。
【００１７】
次に、図９及び図１０を用いて、本発明の別の実施例の蓋部材Ｌ３について説明する。
【００１８】
蓋部材Ｌ３は、組み立てられた折り畳みコンテナーの本体Ｆ内に挿入可能な大きさを有する板状の蓋本体１４と、蓋本体１４の相対する短辺１４ａから、水平方向に延在する、所定の間隔を置いて配置された載置片１５とから構成されている。
【００１９】
上述したように構成されている蓋部材Ｌ３は、蓋本体１４の載置片１５を、図１０に示されているように、折り畳みコンテナーの本体Ｆの短側壁２の上部に形成された持ち手用窓部３の上縁に形成された水平リブ３ｅに載置することにより、組み立てられた折り畳みコンテナーの本体Ｆに被蓋されとともに、折り畳みコンテナーの本体Ｆに被蓋された蓋部材Ｌ３の上方には、凹み部１６が形成されるように構成されている。そして、下に位置する折り畳みコンテナーの本体Ｆに被蓋された蓋部材Ｌ３の上方に形成された凹み部１６に、上に位置する折り畳みコンテナーの本体Ｆの底部１の裏面１’に形成された嵌合部１ｄが嵌合するように段積みされるので、上に段積みされた折り畳みコンテナーが、水平方向に移動することがなく、安定した状態で、折り畳みコンテナーを多段に段積みすることができる。この段積みの状態においては、上に位置する折り畳みコンテナーの底部１に形成されている周縁面１ｃが、下に位置する折り畳みコンテナーの長側壁２の上端及び短側壁３の上端に載置されるように構成することが好ましい。
【００２０】
上述した実施例においては、蓋本体１４の載置片１５が、折り畳みコンテナーの本体Ｆの長側壁２の上端部に形成された切り欠き段部２ｃの水平面２ｂ及び短側壁３の上端部に形成された切り欠き段部３ｃの水平面３ｂより、下方に位置する、持ち手用窓部３の上縁に形成された水平リブ３ｅに載置されるように構成されているので、凹み部１６の深さが、上述した図７及び図８に示されている凹み部１３より深く形成できるので、図７及び図８に示されている蓋部材Ｌ２の厚さより、蓋部材Ｌ３の厚さを厚くすることができ、従って、蓋部材Ｌ３を丈夫で、耐久性のあるものとすることができる。
【００２１】
上述した図７、図８に示されている蓋部材Ｌ２及び図９、図１０に示されている蓋部材Ｌ３は、組み立てられた折り畳みコンテナーの本体Ｆ内に落とし込まれるので、蓋部材Ｌ２、Ｌ３が、組み立てられた折り畳みコンテナーの本体Ｆの外壁面から外側に突出することがない。従って、組み立てられた折り畳みコンテナーを並設した際に、隣接する折り畳みコンテナー間に、蓋部材が、組み立てられた折り畳みコンテナーの本体Ｆの外壁面から外側に突出しているために、隣接する蓋部材同士が当接することによる間隙が生ずるようなことがなく、よって、組み立てられた折り畳みコンテナーの保管スペースが少なくて済む。
【００２２】
【発明の効果】
本発明は、以上説明した構成を有しているので、以下に記載する効果を奏するものである。
【００２３】
蓋部材に、上に位置する折り畳みコンテナーの本体の底部に形成された嵌合部が嵌合可能な、天部と該天部を囲むように形成された嵌合土手部とからなる凹み部を形成したので、上に段積みされた折り畳みコンテナーが、水平方向に移動することがなく、安定した状態で、折り畳みコンテナーを多段に段積みすることができる。
【００２４】
板状の蓋部材が、側壁の上端部に形成された切り欠き段部の水平面に載置されるとともに、側壁の上端部と蓋部材とにより形成された凹み部に、上に位置する折り畳みコンテナーの本体の底部に形成された嵌合部を嵌合可能としたので、上に段積みされた折り畳みコンテナーが、水平方向に移動することがなく、安定した状態で、折り畳みコンテナーを多段に段積みすることができる。また、蓋部材が、組み立てられた折り畳みコンテナーの本体内に落とし込まれるので、蓋部材が、組み立てられた折り畳みコンテナーの本体の外壁面から外側に突出するようなことがなく、従って、組み立てられた折り畳みコンテナーの保管スペースが少なくて済む。
【００２５】
蓋部材が、板状の蓋本体と該蓋本体の相対する辺から水平方向に延在する載置片とから構成されているとともに、蓋本体の載置片を、折り畳みコンテナーの本体の側壁に形成された持ち手用窓部の上方に位置する水平リブに載置することにより、折り畳みコンテナーの本体を蓋部材で被蓋し、且つ、蓋部材の上方に形成された凹み部に、上に位置する折り畳みコンテナーの本体の底部に形成された嵌合部を嵌合可能としたので、上に段積みされた折り畳みコンテナーが、水平方向に移動することがなく、安定した状態で、折り畳みコンテナーを多段に段積みすることができる。また、蓋部材が、組み立てられた折り畳みコンテナーの本体内に落とし込まれるので、蓋部材が、組み立てられた折り畳みコンテナーの本体の外壁面から外側に突出するようなことがなく、従って、組み立てられた折り畳みコンテナーの保管スペースが少なくて済む。更に、凹み部の深さを深く形成できるので、蓋部材の厚さを厚くすることができ、従って、蓋部材を丈夫で、耐久性のあるものとすることができる。
【図面の簡単な説明】
【図１】図１は本発明の折り畳みコンテナーの本体と蓋部材の分解斜視図である。
【図２】図２は本発明の折り畳みコンテナーの本体の組み立て途中の斜視図である。
【図３】図３は本発明の折り畳みコンテナーの本体の折り畳まれた状態の斜視図である。
【図４】図４は本発明の折り畳みコンテナーの本体の底部の斜視図である。
【図５】図５は本発明の折り畳みコンテナーの長側壁に沿った垂直断面図である。
【図６】図６は本発明の折り畳みコンテナーの斜視図である。
【図７】図７は本発明の折り畳みコンテナーの本体と別の実施例の蓋部材の分解斜視図である。
【図８】図８は図７に示されている折り畳みコンテナーの斜視図である。
【図９】図９は本発明の折り畳みコンテナーの本体と更に別の実施例の蓋部材の分解斜視図である。
【図１０】図１０は図９に示されている折り畳みコンテナーの斜視図である。
【符号の説明】
Ｆ・・・・・・・・・・・・折り畳みコンテナーの本体
Ｌ・・・・・・・・・・・・蓋部材
１・・・・・・・・・・・・底部
１ｄ・・・・・・・・・・・嵌合部
２・・・・・・・・・・・・長側壁
３・・・・・・・・・・・・短側壁
１２、１３、１６・・・・・凹み部
【図１】
0003677440.tif 000002
【図２】
0003677440.tif 000003
【図３】
0003677440.tif 000004
【図４】
0003677440.tif 000005
【図５】
0003677440.tif 000006
【図６】
0003677440.tif 000007
【図７】
0003677440.tif 000008
【図８】
0003677440.tif 000009
【図９】
0003677440.tif 000010
【図１０】
0003677440.tif 000011